(57)【特許請求の範囲】
【請求項１】
時刻を表示するための文字板と、各種の駆動部を内蔵する時計ムーブメントと、この時計ムーブメントと前記文字板との間に設けられた受発光手段と、前記時計ムーブメントを収納する外装部材とを有する時計において、
前記文字板は、前記受発光手段に外部光を供給し、又は前記受発光手段から外部に光を照射するために一部又は全部が透光性を有するように形成され、
前記受発光手段は前記時計ムーブメントの一側に固定され、
前記文字板に形成した位置決め係合部と前記外装部材に形成した位置決め被係合部とを係合させることによって前記外装部材に前記文字板を取り付けたこと、を特徴とする時計。
【請求項２】
前記文字板が、前記受発光手段の有効受発光面積よりも広い表示面積を有することを特徴とする請求の範囲第１項に記載の時計。
【請求項３】
前記文字板は、全体が透光性を有するように形成され、かつ、発光手段の有効受発光部分に対応する部分の透光率が、それ以外の部分の透光率よりも高くなるように形成されたことを特徴とする請求の範囲第２項に記載の時計。
【請求項４】
前記文字板は、前記受発光手段の有効受発光部分に対応する部分が透光性部分として形成され、前記有効受発光部分に対応する部分以外の部分が不透光性部分として形成されていることを特徴とする請求の範囲第２項に記載の時計。
【請求項５】
前記受発光手段の有効受発光部分に対応する部分以外の部分に不透光性部材を貼り付けたことを特徴とする請求の範囲第４項に記載の時計。
【請求項６】
前記文字板の一部又は全部に透明部分又は半透明部分を形成して透光性を有するようにしたことを特徴とする請求の範囲第２項に記載の時計。
【請求項７】
前記半透明部分は、前記透明部分に粗面加工を施して形成したことを特徴とする請求の範囲第６項に記載の時計。
【請求項８】
前記位置決め係合部及び前記位置決め被係合部が、前記文字板及び前記外装部材に形成した凸部及び凹部からなることを特徴とする請求の範囲第１項〜第７項のいずれかに記載の時計。
【請求項９】
前記受発光手段は前記時計ムーブメントに貼付手段によって貼り付けられていることを特徴とする請求の範囲第１項〜第８項のいずれかに記載の時計。
【請求項１０】
前記貼付手段を絶縁性部材で形成したことを特徴とする請求の範囲第９項に記載の時計。
【請求項１１】
前記外装ケースが、時計ケースから構成されることを特徴とする請求の範囲第１項〜第１０項のいずれかに記載の時計。
【請求項１２】
前記外装ケースが前記時計ムーブメントを収容するケース体と、このケース体の内周と前記時計ムーブメントとの間に設けられる中枠部材とからなることを特徴とする請求の範囲第１項〜第１０項のいずれかに記載の時計。
【請求項１３】
前記中枠部材は、前記ケース体の内周形状に沿って形成されていることを特徴とする請求の範囲第１２項に記載の時計。
【請求項１４】
前記中枠部材に前記文字板の前記位置決め係合部と係合する前記位置決め被係合部を形成したことを特徴とする請求の範囲第１２項又は第１３項に記載の時計。
【請求項１５】
前記受発光手段と前記中枠部材との隙間に露出する時計ムーブメントの表面に、前記受発光手段の表面の色と同じ色彩を施したことを特徴とする請求の範囲第１２項〜第１４項のいずれかに記載の時計。
【請求項１６】
前記中枠部材は、前記ケース体の内周と前記時計ムーブメントとの間に介在するとともに、前記時計ムーブメントに形成された被挟持部を両側から挟持する第１の時計ムーブメント保持部材及び第２の時計ムーブメント保持部材とからなり、この第１の時計ムーブメント保持部材及び第２の時計ムーブメント保持部材で前記被挟持部を挟持して前記時計ムーブメントを前記ケース体内で位置決め固定することを特徴とする請求の範囲第１２項〜第１５項のいずれかに記載の時計。
【請求項１７】
前記受発光手段から一部が張り出す張り出し部を前記時計ムーブメントに形成し、この張り出し部に前記中枠部材を設けたことを特徴とする請求の範囲第１２項〜第１６項のいずれかに記載の時計。
【請求項１８】
前記受発光手段と前記第１の時計ムーブメント保持部材との隙間に露出する時計ムーブメントの表面に、前記受発光手段の表面の色と同じ色彩を施したことを特徴とする請求の範囲第１６項又は第１７項に記載の時計。
【請求項１９】
前記受発光部材は外部光を受光して起電する太陽電池であることを特徴とする請求の範囲第１項〜第１８項のいずれかに記載の時計。
【請求項２０】
前記受発光部材は、前記文字板を照明するための照明体であることを特徴とする請求の範囲第１項〜第１８項のいずれかに記載の時計。
【発明の詳細な説明】
技術分野
本発明は、太陽電池やＥＬ（エレクトロルミネッセンス）のような受発光手段と文字板の時計ムーブメントへの固定構造に特徴を有する時計に関する。
背景技術
近年、環境問題を反映しクリーンなエネルギとして太陽電池が注目されている。時計においても、太陽電池により発電したエネルギを、二次電池やキャパシタ等の蓄電体に充電して、針を駆動させるものが市販されている。また、ＥＬによって文字板を背後から照明する証明機能などを備える時計も数多く市販されている。
時計ムーブメントに内蔵された各種駆動部に電源を供給するための前記太陽電池を前記時計ムーブメントに固定する固定構造としては、例えばＷＯ９５／２７２３４号公報に開示されたものが知られている。
第１４図は太陽電池を備えた従来の時計の時計ムーブメントの平面図、第１５図は第１４図のＶ−Ｖ方向断面図である。
第１４図及び第１５図に示すように、各種駆動部を内蔵する時計ムーブメント２の上面には金属板３が取り付けられ、下面には金属製の輪列受４が取り付けられる。また、金属板３の上方には透明又は半透明の材料から形成された透光性の文字板１４が配置される。
時計ムーブメント２に内蔵される前記駆動部としては、例えば運針用のステップモータが挙げられる。このステップモータは、時計ムーブメント２の外側に配置された回路基板６からの送信信号によって駆動され、秒針７ａ、分針７ｂ、時針７ｃを動かすものである。
回路基板６は、時計ムーブメント２の周囲に設けられたプラスチック製の回路支持台８によって支持される。時計ムーブメント２の下面側から、輪列受４、回路基板６及び回路支持台８を貫通してボルト９が挿通され、その先端が金属板３のねじ穴に螺入されて金属板３、輪列受４、回路基板６及び回路支持台８を時計ムーブメント２に固定している。
前記駆動部に電源を供給する太陽電池１０は金属薄板を基材として形成され、時計ムーブメント２の上面及び回路支持台８と透光性の文字板１４との間に配置される。回路支持台８の周縁８ａには樹脂製の太陽電池支持枠１１が取り付けられる。この太陽電池支持枠１１は、回路支持台８の周縁から時計ムーブメント２側に突出するフック係合部１１ａを有していて、このフック係合部１１ａが文字板１４と干渉しないように太陽電池１０の周縁と係合して太陽電池１０を回路支持台８に固定する。
第１６図は、太陽電池１０から回路基板６に電源を供給するための導通手段を説明するための第１４図の部分断面図である。図示するように、太陽電池１０の表面に導通テープ１２が貼り付けられ、この導通テープ１２が、太陽電池１０の表面に設けられた端子１０ａに異方性導通膜を介して熱圧着している。太陽電池１０と回路基板６との間には回路支持台８を貫通して金属製の板バネ１３が設けられ、板バネ１３の先端が導通テープ１２に接触している。板バネ１３の他端は回路基板６の表面に沿って折り曲げられ、回路基板６の図示しない端子と接触している。
なお、第１７図に本発明の他の従来例にかかる時計の断面図を参考までに記載するが、第１４図〜第１６図に示す時計と異なるところは、光を受けて発電する太陽電池１０の出力電流が、コイルバネ１３′を介して回路基板６に流される点である。それ以外の部分については、第１４図〜第１６図と変わりがないので、同一の符号を付して詳しい説明は省略する。
第１８図は第１４図〜第１６図で示した時計ムーブメントをケース体に収容した状態を示す部分断面図、第１９図は第１８図のＶＩ−ＶＩ方向矢視図である。
第１８図及び第１９図からわかるように、文字板１４は太陽電池支持枠１１に干渉しないように、周縁が時計ムーブメント２側に位置するように設けられるとともに、太陽電池１０の上に積み重ねて配置される。文字板１４の周縁にはＵ字形の切り欠き部１４ａが複数（図示の例では２つ）形成され、この切り欠き部１４ａに回路支持台８の上面に突出形成された文字板固定ピン８ｂを圧入係合して文字板１４が回転しないように時計ムーブメント２に固定している。
なお、第１８図において符号１５は時計ムーブメント２等を収容する外装ケースとしてのケース体であり、その上面にはガラス１６が取り付けられる開口が形成される。ケース体１５の前記開口の周縁には、内方に突出する見切り部１５ａが形成され、この見切り部１５ａの大きさが文字板１４の視認できる範囲を決定する。見切り部１５ａは、文字板固定ピン８ｂより時計中心側の位置で、文字板１４の周縁を上方側から覆うように設けられる。
第２０図及び第２１図は従来の太陽電池付の時計の外観図である。
第２０図及び第２１図に示すように、見切り部１５ａは文字板固定ピン部８ｂより時計中心側の位置で文字板１４の周縁部を覆って設けられ、その形状は文字板１４の形状と同じ円形（第２０図）又は文字板１４より少し小さい楕円形（異形）（第２１図）である。
ところで、上記した従来の時計には以下のような欠点がある。すなわち、従来の時計の文字板の固定構造では、文字板固定ピン８ｂによって時計ムーブメントの見切り部１５ａの許容範囲が限られることになるため、文字板固定ピン８ｂより外側に見切り部１５ａを広げるような変更はできず、多種にわたるデザイン対応は１つの完成時計ムーブメントでは難しかった。すなわち、時計の見切り部１５ａを拡大しようとすると太陽電池支持枠１１がケースガラス１６を通して文字板１４の外周部に見えてしまい、見切り部１５ａの許容範囲が太陽電池支持枠１１の内径で制限されてしまう。したがって、多種にわたるデザイン対応に対して従来では、デザインの要望があるたびに新親な時計ムーブメントを作っていた。そのため時計の製造コストが高くなり、デザインの数だけ時計ムーブメントが必要になって時計ムーブメントの管理も面倒になる。
本発明の目的は上記問題を解決し、光発電手段やＥＬなどの受発光手段を有する時計において、見切り部を自由に設定でき、多種にわたるデザイン要望の対応が可能な時計ムーブメント固定構造を有する時計を得るところにある。
発明の開示
上記の目的を達成する為に本発明は、時刻を表示するための文字板と、各種の駆動部を内蔵する時計ムーブメントと、この時計ムーブメントと前記文字板との間に設けられた受発光手段と、前記時計ムーブメントを収納する外装部材とを有する時計において、前記文字板は、前記受発光手段に外部光を供給し、又は前記受発光手段から外部に光を照射するために一部又は全部が透光性を有するように形成され、前記受発光手段は前記時計ムーブメントの一側に固定され、前記文字板に形成した位置決め係合部と前記外装部材に形成した位置決め被係合部とを係合させることによって前記外装部材に前記文字板を取り付けたことを特徴とする。
また、前記外装ケースが前記時計ムーブメントを収容するケース体と、このケース体の内周と前記時計ムーブメントとの間に設けられる中枠部材とからなることを特徴とする。
さらに、前記中枠部材は、前記ケース体の内周と前記時計ムーブメントとの間に介在するとともに、前記時計ムーブメントに形成された被挟持部を両側から挟持する第１の時計ムーブメント保持部材及び第２の時計ムーブメント保持部材とからなり、この第１の時計ムーブメント保持部材及び第２の時計ムーブメント保持部材で前記被挟持部を挟持して前記時計ムーブメントを前記ケース体内で位置決め固定することを特徴とする。
また、前記受発光手段は前記時計ムーブメントに貼付手段によって貼り付けられていることを特徴とする。
さらに、前記受発光手段から一部が張り出す張り出し部を前記時計ムーブメントに形成し、この張り出し部に前記第１の時計ムーブメント保持部材を設けたことを特徴とする。
また、前記受発光手段と前記第１の時計ムーブメント保持部材との間の隙間に露出する時計ムーブメントの表面に、前記受発光手段の表面色と同系の色彩を施したことを特徴とする。
発明を実施するための最良の形態
以下、図面により本発明の実施の形態を詳述する。
第１図は本発明の第１の実施形態にかかる充電式の太陽電池時計の平面図、第２図は第１図のＩ−Ｉ方向断面図である。
第１図及び第２図に示すように、時計ムーブメント３１は、受発光手段である太陽電池４０からの起電エネルギにより駆動される各種駆動部を内蔵する。前記駆動部としては、例えば、回路基板３６からの基準信号より秒針３７ａ、分針３７ｂ、時針３７ｃを動かすステップモータが含まれる。
時計ムーブメント３１の上面には金属板３３が取り付けられ、下面には金属製の輪列受３４が取り付けられる。回路基板３６は時計ムーブメント３１の周囲に設けられたプラスチック製の回路支持台３８に支持される。回路基板３６及び回路支持台３８は、輪列受３４から回路基板３６及び回路支持台３８を挿通して金属板３３に螺入された固定ネジ３９によって、時計ムーブメント３１に固定される。
また、薄い金属板４２が時計ムーブメント３１に固定される。金属板４２は、周縁に形成された複数のフック部４２ａを下方に折り曲げ、回路支持台３８のフック係合部３８ａに係合させることにより、回路支持台３８に取り付けられる。そして、この金属板４２に、金属板を基材とする太陽電池４０が両面に粘着性をもった絶縁性の両面テープ４１によって貼り付けられる。
第３図は、太陽電池４０と回路基板３６とを導通状態に接続する接続部分の断面図である。
図示するように、導通テープ４３が太陽電池４０の上面に設けられた端子４０ａ（第１図参照）を、異方性導通膜を介して熱圧着している。回路支持台３８を貫通して板バネ４４が太陽電池４０から回路基板３６まで延びている。板バネ４４の一端は、太陽電池４０の下面側へ折り込まれた導通テープ４３の接点部４３ａと接触している。また、板バネ４４の他端部は、回路基板３６に沿って折り曲げられ、図示しない回路基板３６の端子と接触している。この態様により、太陽電池４０で発電された起電力は、端子４０ａ、導通テープ４３、接点部４３ａ及び板バネ４４を介して回路基板３６に送られる。
第４図は、第１図〜第３図に示した時計ムーブメント３１の周囲に文字板固定枠４６を取り付けた状態を示す平面図、第５図は第４図の時計ムーブメント３１をさらにケース体４７に収納した状態を示す平面図、第６図は第５図のＩＩ−ＩＩ方向断面図である。
第４図〜第６図に示すように、時計ムーブメント３１の外側には、時計ムーブメント３１を時計のケース体４７内で位置決め固定する中枠部材としての文字板固定枠４６が取り付けられる。この文字板固定枠４６は、ケース体４７のケース内面側の形状に沿うように形成され、かつ、回路支持台３８の下面側まで延びる段付部４６ｂと、回路支持台３８の外周縁まで延びるフック部４６ａとを有している。フック部４６ａ及び段付部４６ｂは、回路支持台３８を介して時計ムーブメント３１をケース体４７内で確実に位置決めして固定できるように、所定間隔で複数設けるのが好ましい。第５図に示すような丸形のケース体４７に時計ムーブメント３１を収容する場合には、均等間隔で３つ又は４つ設けるとよい。
段付部４６ｂは回路支持台３８を下面に当接し、フック部４６ａは回路支持台３８の外周縁に突出して形成されたフック係合部３８ｂと係合する。
文字板固定枠４６には、文字板固定ピン部４６ｃが所定間隔で複数突出形成されている。一方、文字板４５の周縁部には、文字板固定ピン部４６ｃと係合できる複数の切り欠き部４５ａが形成されている。そして、文字板固定ピン部４６ｃを切り欠き部４５ａに嵌め込んで係合することにより、文字板４５が時計ムーブメント３１に対して位置決めされる。
文字板４５は、外部光を採り入れることができるように透光性の部材から形成される。また、文字板４５は、少なくとも太陽電池４０が時計の駆動に必要な起電エネルギを生成する有効発電面積（有効受発光面積）よりも大きく形成される。光を透過させる性質のものであれば、文字板４５は透明・半透明のいずれでもよいが、太陽電池４０の有効発電部分に対応する部分の透光率が、それ以外の部分の透光率よりも高くすることが好ましい。少なくとも太陽電池４０の有効発電部分に対応する部分が透光性を有すれば、それ以外の部分には不透光であってもよく、当該部分を不透光部分として形成したり、不透光部材を貼り付けたりしてもよい。
なお、ケース体４７の開口にはガラス４８が嵌め込んで固定してある。ケース体４７の前記開口周縁は内側に張り出すように形成され、文字板４５の見える領域を決定する見切り部４７ａを構成する。
文字板固定枠４６が取り付けられた時計ムーブメント３１は、裏蓋を開放させた状態でケース体４７内に収容される。ケース体４７に裏蓋を取り付けると、文字板固定枠４６がケース体４７内で固定されるので、時計ムーブメント３１が所定位置に位置決め固定される。
本発明のように時計ムーブメント３１を固定するようにすれば、形状や大きさの異なるケース体４７に共通の時計ムーブメント３１を用いることが可能になる。この場合、ケース体４７の大きさや形状に応じて文字板４５と文字板固定枠４６を用意しておき、文字板固定枠４６と文字板４５を取り替えて時計ムーブメント３１に装着すればよい。
第７図及び第８図は、ケース体の大きさや形状を異なるものとした時計の他の実施形態にかかり、第７図は長円形モデルのもの、第８図は角形モデルのものを示す平面図である。
第７図のケース体４７には長円形の文字板固定枠と長円形の文字板が適用される。したがって、見切り部４７ａもケース体４７の外形形状に沿っている。
文字板固定ピン部４６ｃは見切り部４７ａに隠されているので、外部から見ることはできず、時計の外観を損なうことはない。
第８図のケース体４７には角形の文字板固定枠と角形文字板が適用される。この場合も同様に、見切り部４７ａがケース体４７の形状に沿っていて、見切り部４７ａは外部から見えず、時計の外観を損なうことはない。
第６図〜第８図の時計はいずれも、見切り部４５ａが時計ムーブメント３１よりも外側に拡がっているので、文字板４５の面積を太陽電池４０の面積（有効発電面積）よりも大きくすることができ、十分な電力を得ることができるという効果がある。
第９図は本発明の第２の実施形態にかかる時計の平面図、第１０図は第９図のＩＩＩ−ＩＩＩ方向断面図である。
第９図及び第１０図において、時計ムーブメント５１は図示のように樽型形状に形成されている。時計ムーブメント５１は、秒針５１ａ，分針５１ｂ，時針５１ｃを有する。太陽電池５７は本実施形態においてはフィルム基板上に製膜形成され、外形は第９図のように時計ムーブメント５１とほぼ同形の樽型形状に形成される。太陽電池５７はフィルム基板なので、切断することによって外形を比較的簡単に自由な形状にすることができる。
また、太陽電池５７は、先の実施形態と同様に両面テープ５３により太陽電池受板５２に粘着固定される。太陽電池受板５２は時計ムーブメント５１にフック部５２ａを係合させて保持されている。太陽電池５７の出力電流は、コイルバネ５４を介して回路基板５６に流され、時計ムーブメント５１内の各駆動部を駆動させる電源となる。
文字板５５は、デザインの多様化に対応して白や青色等各種の色や紋様が施された透光性の材料で形成され、その下方に配置された太陽電池５７が受光して発電できるようになっている。前記材料は光を透過させる性質のものであれ透明、半透明のいずれでもよく、例えば、セラミック材や着色プラスチック等を基材とすることができる。前記半透明の部分は、例えば透明部分に粗面加工を施すことによって形成することができる。
太陽電池５７の上には、プラスチック材により成形された第１の時計ムーブメント保持部材である文字板受板６６が配置される。この文字板受板６６は上方に突出する凸部６６ｃを有し、その凸部６６ｃが文字板５５の周縁に形成された凹部５５ａに嵌め込まれて係合して文字板５５の位置決めをおこなう。また、文字板受板６６の外周縁がケース体６７の内周面に当接して時計ムーブメント５１をケース体６７の内側に位置決めする。
また、文字板受板６６には、下方に延びるフック部６６ａが複数箇所（この実施形態では対向部位に二箇所）に形成され、このフック部６６ａを時計ムーブメント５１の外周縁に係合させることによって、指針組立時や、ケース収納時などのときに、文字板受板６６が時計ムーブメント５１から外れないようにしている。
時計ムーブメント５１の外周囲には、第２の時計ムーブメント保持部材を構成する補助リング６９が設けられ、時計ムーブメント５１のフランジ部５１ａと係合するとともに、ケース体６７の内面に当接して時計ムーブメント５１を保持する。なお、補助リング６９は、ケース体６７に裏蓋６４を取り付けたときに、裏蓋６４に立設された中子６４ａによって支持される。
上記構成により、時計ムーブメント５１は第１の時計ムーブメント保持部材である文字板受板６６と第２の時計ムーブメント保持部材である補助リング６９とで挟持されて、ケース体６７内で位置決め固定される。種々のサイズの見切りに対応させるには、文字板５５，文字板受板６６及び補助リング６９のサイズや形状を変えればよく、共通の時計ムーブメント５１を種々の時計に使うことができるようになる。文字板受板６６や補助リング６９は比較的簡素な構造であり、時計ムーブメント５１から独立した外装部品であるので、形状の異なるものを用意するのは比較的容易である。つまり本実施形態によれば、第９図に示すような樽形の時計だけでなく、文字板受板６６、補助リング６９、文字板５５を変更すれば丸形でも角形でも自由なデザインの完成時計を比較的簡単に実現させることが可能である。
また、時計ムーブメント５１は、文字板受板６６および補助リング６９によって挟み込まれた状態で強固に固定されているので、耐衝撃性に優れた構造とすることができる。つまり、ケースガラス６８側からの衝撃に対しては、時計ムーブメント５１の上面側に配置した文字板受板６６で確実に保持し、また裏蓋６４側からの衝撃に対しては時計ムーブメント５１の周囲に配置した補助リング６９で確実に保持しているので、時計ムーブメント５１はいずれの方向にも飛び出してしまうことがない。
また、時計ムーブメント５１と文字板受板６６は、指針５１ａ，５１ｂ，５１ｃの取り付け作業時や、ケース体６７への収納時にばらばらにならないように一体化する必要がある。そのため、本実施形態では文字板受板６６のフック部６６ａを時計ムーブメント５１に係合する構造としているが、これに限らず他の形態としてもよい。
第１１図は他の固定構造の実施形態を示す要部断面図である。第１１図において第９図及び第１０図と同一部位には同一の符号を付す。
符号６９′はプラスチック材で成形された補助リングで、凸部６９ａ′が複数箇所に形成されている。符号６６′は文字板受板であり、補助リング６９′と同様にプラスチック材で成形され、補助リング６９′の凸部６９ａ′に対応してわずかに幅の狭い凹部６６ｂ′を有している。時計ムーブメント５１は補助リング６９′と文字板受板６７′とで位置決めされて固定されるが、この時、補助リング６９′の凸部６９ａ′が文字板受板６６′の凹部６６ｂ′に圧入され、両者が強固に固着されるので、ケース収納時などにばらばらになるのを防止している。なお、本実施形態では、補助リング６９′に凸部６９ａ′を、文字板受板６６′に凹部６６ｂ′を形成したが、文字板受板６６′に凸部を形成し、補助リング６９′に凹部を形成してもよい。
第１２図は本発明の第３の実施形態である充電式太陽電池時計の平面図、第１３図は第１２図のＩＶ−ＩＶ方向断面図である。
第１２図および第１３図にしたがってこの実施形態の構造を詳述する。なお、この実施形態の基本形態は先の第２の実施形態と同じであるので、同一部位、同一部材には同一の符号を付して詳しい説明は省略する。
ガラス基材の太陽電池７７は、図示するように八角形の外形形状を有する。
丸又は樽型をした時計ムーブメント７１の外形内に太陽電池７７を配置するには、太陽電池７７も曲線状の外形形状を有することが望ましい。しかし、ガラス基材の太陽電池７７は曲線切断加工が難しいため、直線状の外形をもつ八角形状としている。太陽電池７７は両面テープ５３により金属製の太陽電池受板５２に貼付固定される。したがって、時計ムーブメント７１には、太陽電池７７の外形から張り出す張り出し部７４ｂが部分的に形成される。
プラスチック材により成形された文字板受板７６は、太陽電池７７と干渉しないように、時計ムーブメント７１の上面側の張り出し部７４ｂに配置されている。文字板受板７６はこの張り出し部７４ｂから文字板５５の位置決めをおこなう。また、文字板受板７６はケース体６７の内面に当接していて、補助リング６９とともに時計ムーブメント７１をケース体６７内で位置決め保持するが、この固定形態は第１０図に示した先の実施形態と同じである。
以上の構成により、本実施形態においても先の実施形態と同様に、文字板５５，文字板受板７６及び補助リング６９のサイズと形状を変えるだけで、一つの時計ムーブメント７１を各種の見切りサイズの時計に利用することができる。
一方、本実施形態の場合前述の実施形態と異なり、文字板受板７６が太陽電池７７の外側で時計ムーブメント７１を支持しているので、太陽電池７７と文字板５５の間の隙間７２を狭くすることが可能で、完成時計の全厚を薄くすることができるという利点がある。特に本実施形態のように、太陽電池７７がガラス基材で形成されている場合、強度面から基材のガラス厚がある程度厚くなってしまうので、デザイン上隙間７２を狭くすることができるのは特に有利である。
一方、太陽電池受板７６が太陽電池７７の外側で時計ムーブメント７１を保持するので、時計が平面方向に拡がり、時計の平面面積が大きくなる傾向にある。しかし、本実施形態のように、曲線形状の時計ムーブメント７１に八角形の太陽電池７７を配置すれば、時計ムーブメント７１の一部（この実施形態では張り出し部７４ｂ）が必ず太陽電池７７から張り出すので、その部分に文字板受板７６を設けるようにすれば、それほど時計の平面面積が大きくなることはない。
また、太陽電池７７はガラス基材であり強度的に弱く、割れ破壊するおそれがある。しかし、本実施形態によれば、時計ムーブメント７１は太陽電池７７を介さずに太陽電池受板７６および補助リング６９で挟持されているので、太陽電池７７に直接力がかかることはない。そのため時計を組み立てる時に割れてしまうことも無く、外部からの衝撃に対しても強い構造となっている。
衝撃に対する強度をさらに向上させるためには、太陽電池７７と文字板５５の間の隙間７２を適度に設定するとよい。外部からの衝撃を受けて時計ムーブメント７１が撓み、太陽電池７７を文字板５５側に突き上げても、適度の隙間７２があれば太陽電池７７が文字板５５にぶつからないので、ガラス基板の太陽電池７７が割れてしまうことがない。隙間の大きさは各種実験によって求めるとよく、３０μｍ〜２００μｍ程度に設定するのが好ましい。
また、文字板５５はデザインの多様性に対応しつつ、一方では太陽電池７７へ光を透過する半透明な基材なので、文字板５５の下面側に極端に色彩の違う部品を配置すると透けて見えてしまい外観上問題になってしまう。
そのため第３の実施形態においては、金属製の太陽電池受板５２の文字板５５側の面（上面）に、太陽電池７７と同系色である黒系色のメッキあるいは塗装処理を行うとよい。このようにすれば、太陽電池７７と文字板受板７６の間のスリット状の隙間７３から太陽電池受板７６が見えても、半透明な文字板５５を介せば殆ど外観上目立たなくするようにすることができる。
隙間７３を小さくしても、金属表面の光沢は光を反射して目立ってしまうので、金属光沢自体を本実施形態のようにメッキまたは塗装で隠すのが最も効果的である。また、プラスチック材の文字板受板７６も太陽電池７７と同系色に着色するのが好ましい。つまり文字板５５の下面側に配置された部品の色彩を揃えれば、透過して外観上問題になることがないので、文字板５５の透光率を向上させる事ができ、文字板５５のデザインの自由度を保ちつつ充電性能を向上させる事ができる。
上記の各実施形態では、受発光手段として外部光を受光して起電する太陽電池を例に挙げたが、ＥＬなどの照明体のように外部に光を照射する発光手段であっても本発明の適用が可能である。
また、上記の説明では中枠部材として文字板固定枠を設け、この文字板固定枠に文字板を固定するものとして説明したが、外装部材である時計ケースに直接文字板を取り付けるものとして構成してもよい。
以上の説明で明らかなように、本発明による充電式太陽電池時計の時計ムーブメント構造を用いれば、文字板と文字板固定枠の変更のみにて見切り部を自由に設定でき、多種多様なデザインに対応可能なこととともに、それを低コストにて実現することができる。
また本発明による時計では、上記構成の時計ムーブメント固定構造により、金属板と太陽電池の間にある接着部材が絶縁層となるので、金属板が導電性を有するとしても太陽電池とは導通せず、太陽電池がケースなどの部材と接触したとしても時計機能に障害を引き起こすことはない。
さらに、本発明によれば、文字板、文字板受板及び補助リングの変更のみで見切りを自由に設定でき、多種多様なデザインに対応可能であるとともに、それを低コストにて実現することができる。第１の保持部材と第２の保持部材とで時計ムーブメントを上下から確実に保持するようにすれば、外部からの衝撃に対して強く、高い信頼性を有する時計を得ることができる。
さらに太陽電池を避けた部分で時計ムーブメントを保持する構造にすれば、太陽電池自体に力が加わることがないので、より耐衝撃性にすぐれた完成時計を得ることができ、特に強度的に劣るガラス基板の太陽電池を搭載した場合に有効である。
また、本発明に示すように太陽電池と中枠部材の隙間から見える部分に配置された部品（例えば、時計ムーブメント）の表面を太陽電池と同系色にすれば、文字板の透光率をあげても外観上目立たなくなるので、デザインの自由度を向上させる事ができるとともに、充電特性も向上させる事ができる。
産業上の利用可能性
本発明は、時刻を表示するための文字板と、この文字板の一側に設けられ外部光を取り入れて動作し又は外部に光を照射する太陽電池やＥＬなどの受発光手段と、各種の駆動部を内蔵する時計ムーブメントと、この時計ムーブメントを収納するケース体とを有する時計に広く適用することができる。
【図面の簡単な説明】
第１図は、本発明の一実施形態にかかる時計の平面図である。
第２図は、第１図のＩ−Ｉ方向断面図である。
第３図は、太陽電池と回路基板とを導通状態に接続する接続部分の断面図である。
第４図は、第１図〜第３図に示した時計ムーブメントの周囲に文字板固定枠を取り付けた状態を示す平面図である。
第５図は、第４図の時計ムーブメントをさらにケース体に収納した状態を示す平面図である。
第６図は、第５図のＩＩ−ＩＩ方向断面図である。
第７図及び第８図は、ケース体の大きさや形状を異なるものとした時計の他の実施形態にかかり、第７図は長円形モデルのもの、第８図は角形モデルのものを示す平面図である。
第９図は、本発明の他の実施形態にかかる時計の平面図である。
第１０図は、第９図のＩＩＩ−ＩＩＩ方向断面図である。
第１１図は、他の固定構造の実施形態を示す要部断面図である。
第１２図は、本発明の第３の実施形態である充電式太陽電池時計の平面図である。
第１３図は、第１２図のＩＶ−ＩＶ方向断面図である。
第１４図は、太陽電池を備えた従来の時計の時計ムーブメントの平面図である。
第１５図は、第１４図のＶ−Ｖ方向断面図である。
第１６図は、太陽電池から回路基板に電源を供給するための導通手段を説明するための第１４図の部分断面図である。
第１７図は、本発明の他の従来例にかかる時計の参考断面図である。
第１８図は、第１４図〜第１６図で示した時計ムーブメントをケース体に収容した状態を示す部分断面図である。
第１９図は、第１８図のＶＩ−ＶＩ方向矢視図である。
第２０図及び第２１図は、従来の太陽電池付の時計の外観図である。
【図１】
0004355104.tif 000002
【図２】
0004355104.tif 000003
【図３】
0004355104.tif 000004
【図４】
0004355104.tif 000005
【図５】
0004355104.tif 000006
【図６】
0004355104.tif 000007
【図７】
0004355104.tif 000008
【図８】
0004355104.tif 000009
【図９】
0004355104.tif 000010
【図１０】
0004355104.tif 000011
【図１１】
0004355104.tif 000012
【図１２】
0004355104.tif 000013
【図１３】
0004355104.tif 000014
【図１４】
0004355104.tif 000015
【図１５】
0004355104.tif 000016
【図１６】
0004355104.tif 000017
【図１７】
0004355104.tif 000018
【図１８】
0004355104.tif 000019
【図１９】
0004355104.tif 000020
【図２０】
0004355104.tif 000021
【図２１】
0004355104.tif 000022